(57)【特許請求の範囲】
【請求項１】
開口部が形成された後壁を有する真空掃除機の本体と、
前記本体に可撓性ホースを通して連結され、底面に接触して埃及び異物を吸入するブラシ組立体と、
前記本体の内部に装着されて吸入力を発生する送風機組立体と、
前記送風機組立体に電源を供給するための延長可能な電源コードと、
前記本体の内部に装着され、前記電源コードを巻き取るリールと、
前記引き出される電源コードと摩擦して前記電源コードを固定するための第一の手段と、
前記第一の手段をヒンジ可能に支持するための第二の手段と、
前記第一の手段が前記電源コードと接触するように前記第一の手段を偏向させる第三の手段と、
前記第三の手段が前記第一の手段に対して偏向力を加えられるように前記第三の手段を支持する第四の手段とを具え、前記第一の手段が、下部は前記本体の底面に固定された第二の手段により支持され、上部は前記開口部の上部を通過し、前記本体の底面に対して傾斜するように配置される四角形のプレートを有し、前記四角形のプレートの上面と前記開口部の上面との間には前記電源コードが引き出される引出口が形成されること
を特徴とする真空掃除機。
【請求項２】
前記四角形のプレートの第一の側面の底部には第一のヒンジピンが一体に突出形成され、前記第一の側面に対向する前記四角形のプレートの第二の側面には第二のヒンジピンが具えられることを特徴とする請求項１に記載の真空掃除機。
【請求項３】
前記四角形のプレートの上部の一側面には半円形の凹部が形成され、該凹部は前記四角形のプレートと前記電源コードとの接触を解除するためのものであることを特徴とする請求項１に記載の真空掃除機。
【請求項４】
前記四角形のプレートと前記電源コードとの摩擦を解除するための第五の手段をさらに具えることを特徴とする請求項１に記載の真空掃除機。
【請求項５】
前記第五の手段が、前記四角形のプレートの前面の上部に突出形成されるノブを有することを特徴とする請求項４に記載の真空掃除機。
【請求項６】
前記第二の手段が、前記本体の底面に固定され、上向きに突出する第一の固定リブ及び前記第一の固定リブに対して所定の距離だけ離隔される第二の固定リブを具え、前記四角形のプレートが前記第一及び第二の固定リブの間にヒンジ可能に配置されることを特徴とする請求項５に記載の真空掃除機。
【請求項７】
前記第一及び第二の固定リブの端部には第一及び第二のピンホールがそれぞれ形成され、前記第一及び第二のピンホールには前記第一及び第二のヒンジピンがヒンジ可能に係合されることを特徴とする請求項６に記載の真空掃除機。
【請求項８】
前記第四の手段が、前記四角形のプレートから所定の距離だけ離隔されるように前記本体の底面に形成される支持リブ及び前記支持リブの前面に一体に形成される第一の突起を有することを特徴とする請求項６に記載の真空掃除機。
【請求項９】
前記第三の手段が、その第一端が前記四角形のプレートの後面に形成される第二の突起に固定され、前記第一端に対向する第二端が前記第一の突起に固定されるスプリングを有することを特徴とする請求項８に記載の真空掃除機。
【請求項１０】
前記開口部の上部が、その中心から左右方向に下向きに傾斜することにより、前記電源コードが常に前記開口部の上部の中心部に位置することを特徴とする請求項６に記載の真空掃除機。
【発明の詳細な説明】
【０００１】
【発明の属する技術分野】
本発明は真空掃除機に関するものであり、より詳細には真空掃除機の電源コード固定装置に関する。
【０００２】
【従来の技術】
真空掃除機は、本体に内蔵されたモータの駆動により発生する強力な吸入力により外部の埃や異物を吸入する装置である。
真空掃除機の両側に装着された輪により移動可能な本体、前記本体の内部に装着され吸入された埃及び異物を捕集する集塵室、前記集塵室の内部に脱着可能に装着される集塵袋、前記集塵室の吸入口に連結される可撓性ホース、前記可撓性ホースの一端に装着され、底面に接触して埃及び異物を吸入するブラシヘッド組立体、前記本体に連結されて前記真空掃除機に電源を供給する電源コードで構成される。
【０００３】
一般に、真空掃除機は掃除機の本体に内蔵される蓄電池から供給される直流電源により駆動される方式と、発電を通して発生して外部から供給される交流電源により駆動される方式とに区分される。従って、交流電源により駆動される真空掃除機においては、電源供給のために真空掃除機に固定されたりまたは引き出し及び巻き取り可能に連結された電源コードが必要である。
【０００４】
図１はキャニスタタイプの真空掃除機１００の概略的な構成を示す。真空掃除機１００は、本体１１０、前記本体１１０と分離されたブラシ組立体１２０、前記ブラシ組立体１２０と前記本体１１０を相互に連結する延長管１３０及び可撓性ホース１４０で構成される。前記本体１１０の内部には電源コードを引き出し及び巻き取り可能にする電源コード巻き取り装置（図示せず）が具えられている。
【０００５】
図２には従来の真空掃除機の電源コード固定装置を示す。図２に示すように、前記電源コード巻き取り装置２００は、真空掃除機の本体１１０の内部に形成された巻き取りリールチャンバ２０４の内部に設けられ、巻き取りリール２１０を有する。前記巻き取りリール２１０の内部には前記巻き取りリール２１０に時計方向への回転弾性力を常に作用させる巻き取りリールトーションスプリング（図示せず）が設けられる。前記本体１１０の上面の後端部にはボタン２２０が具えられる。前記ボタン２２０は前記本体１１０の上面に延長されて一体に形成され、湾曲された後部２２２を具える。
【０００６】
前記ボタン２２０の下部面には押しレバー２４０が垂直下方に突出する。前記押しレバー２４０は前記押しレバー２４０の下方に設けられた動作ロッド２６０の上面に接触する。前記押しレバー２４０の前方には前記ボタン２２０が上下に移動可能にヒンジ２５０が設けられる。前記ヒンジ２５０は前記本体１１０の上部面の下向きに突出形成された突出部２５２により支持される。前記押しレバー２４０の後方には前記ボタン２２０を上下に弾力的に支持する圧縮コイルスプリング２３０が設けられる。前記圧縮コイルスプリング２３０の下部には巻き取りリールチャンバ２０４の天井下部に形成される動作ロッド２６０が設けられる。前記動作ロッド２６０は、前記巻き取りリールチャンバ２０４の天井の下面に形成された突出部２６４にヒンジにより結合される。前記動作ロッド２６０の一端には円形のストッパー２７０が装着される。前記円形のストッパー２７０は、前記円形のストッパー２７０を貫通するストッパーピン２７２により前記動作ロッド２６０に回転可能に結合される。
【０００７】
前記巻き取りリールチャンバ２０４の後面の内部には前記円形のストッパー２７０と接触する摩擦壁２８０が電線コード２９０を巻き取る巻き取りリール２１０と所定の間隔だけ離隔されて設けられる。前記動作ロッド２６０の一端に装着された前記円形のストッパー２７０は前記巻き取りリール２１０と前記摩擦壁２８０の表面に同時に接触して前記巻き取りリール２１０の回転を防止する。
【０００８】
図２に示すように、前記ボタン２２０を押していない状態では、前記ボタン２２０は前記圧縮コイルスプリング２３０の弾性力によりその上端の位置に維持され、前記動作ロッド２６０の一端は上昇する。この際に、前記動作ロッド２６０の一端に装着された前記円形のストッパー２７０は、前記摩擦壁２８０及び前記巻き取りリール２１０の表面に同時に密着して前記巻き取りリール２１０の回転を防止する。
【０００９】
使用者が前記ボタン２２０を押すと、前記押しレバー２４０は前記動作ロッド２６０の一端を押し、前記動作ロッド２６０に装着された円形のストッパー２７０は上昇する。従って、前記摩擦壁２８０と前記巻き取りリール２１０の係合は解除される。この際に、前記巻き取りリール２１０には前記巻き取りリール２１０に装着された前記トーションスプリング（図示せず）の弾性力が作用する。従って、前記巻き取りリール２１０は前記トーションスプリング（図示せず）の弾性力により回転して前記電源コード２９０を巻き取る。
【００１０】
使用者が押していた前記ボタン２２０をさらに放すと、前記ボタン２２０は前記圧縮コイルスプリング２３０の弾性力により上昇し、従って前記動作ロッド２６０の一端２６６は上昇する。この際に、前記動作ロッド２６０の一端に装着された円形のストッパー２７０は前記摩擦壁２８０と前記巻き取りリール２１０の表面に同時に接触して前記巻き取りリール２１０の回転を防止する。
【００１１】
前記真空掃除機の電源コード固定装置と類似した実施例が“真空掃除機の巻き取り装置(Cord Winding Structure)”という名称でGunnar  Ingemarによる米国特許第３，９９９，６４０号（１９７６年１２月２８日付け）に開示される。前記発明の場合に、巻き取りリールチャンバの上面に具えられた押しボタン、前記押しボタンに連結されたリンクアーム、前記リンクアームに取り付けられた回動プレート、前記回動プレートに連結されたアーム、前記アームの一端に取り付けられた回転部で構成される。使用者が前記押しボタンを加圧すると、前記回動プレートが前記リンクにより下方に移動し、この際に前記回動プレートに連結されたアームが下方に移動する。従って、前記回動プレートと前記アームの間隔が拡大され、前記回動プレートと前記アームとの間に位置する電源コードが引き出し可能になる。
【００１２】
【発明が解決しようとする課題】
しかしながら、このような形態の電源コード固定装置を使用する場合に、コード巻き取りリールの回転を制御する装置の構造が複雑であるために、多大な組立時間と部品が必要とされることにより、製造コストが上昇するという問題があった。また、一つの部品の破損が全体の巻き取り装置の故障の原因となるために、電源コードの引き出しが不可能な場合もある。
【００１３】
本発明は以上のような従来技術の問題点を解決するためのものであり、本発明の目的は、電源コード固定装置の構造を単純化し、電源コードを引き出した状態で容易に固定及び解除できる真空掃除機の電源コード固定装置を提供することにある。
【００１４】
【課題を解決するための手段】
前記目的を達成するため、本発明は、
開口部が形成された後壁を有する真空掃除機の本体と、
前記本体に可撓性ホースを通して連結され、底面に接触して埃及び異物を吸入するブラシ組立体と、
前記本体の内部に装着されて吸入力を発生する送風機組立体と、
前記送風機組立体に電源を供給するための延長可能な電源コードと、
前記本体の内部に装着され、前記電源コードを巻き取るリールと、
前記引き出される電源コードと摩擦して前記電源コードを固定するための四角形のプレートと、
前記四角形のプレートをヒンジ可能に支持するための固定リブと、
前記四角形のプレートが前記電源コードと接触するように前記四角形のプレートを偏向させる弾性部材と、
前記弾性部材が前記四角形のプレートに対して偏向力を加えられるように前記弾性部材を支持する支持リブとを具える真空掃除機を提供する。
【００１５】
本発明において、前記四角形のプレートの下部は、前記本体の底面に固定され、上部は前記開口部の上部を通過し、前記本体の底面に対して傾斜するように配置される。また、前記四角形のプレートの上面と前記開口部の上面との間には前記電源コードが引き出される引出口が形成される。
【００１６】
前記四角形のプレートの第一の側面の底部には第一のヒンジピンが一体に突出形成され、前記第一の側面に対向する前記四角形のプレートの第二の側面には第二のヒンジピンが突出形成される。そして、前記四角形のプレートの上部の一側面には半円形の凹部が形成され、前記凹部を通して前記四角形のプレートを前後方に回転することにより、前記電源コードとの接触を解除する。
【００１７】
また、前記四角形のプレートと前記電源コードの接触を解除するための他の実施例を示す。すなわち、前記四角形のプレートの前面の上部に上向きに突出形成されるノブを具え、前記ノブを利用して前記四角形のプレートを前後方に回転することにより、前記電源コードとの接触を解除できる。
【００１８】
前記固定リブは、前記本体の底面に固定され、上向きに突出する第一の固定リブ及び前記第一の固定リブに対して所定の距離だけ離隔される第二の固定リブを具え、前記四角形のプレートは前記第一及び第二の固定リブの間にヒンジ可能に配置される。前記第一及び第二の固定リブの端部には第一及び第二のピンホールがそれぞれ形成され、前記第一及び第二のピンホールには前記第一及び第二のヒンジピンがヒンジ可能に係合される。
【００１９】
前記支持リブは、前記本体の底面に上向きに突出形成され、前記四角形のプレートから所定の距離だけ離隔され形成される。また、前記支持リブの前面には第一の突起が一体に突出形成される。
前記弾性部材は、その第一端が前記四角形のプレートの後面に形成される第二の突起に固定され、前記第一端に対向する第二端が前記第一の突起に固定されるスプリングを有する。
【００２０】
前記電源コード固定装置の他の実施例として、前記開口部の上部はその中心から左右方向に下向きに傾斜することにより、前記電源コードが常に前記開口部の上部中心部に位置する。
【００２１】
【作用】
このような構成を有する本発明は、電源コードを固定する場合に、前記四角形のプレートは前記電源コードの表面と接触し、前記電源コードとの摩擦により、前記四角形のプレートは時計方向に回転する。従って、前記電源コードは前記本体の外部に引き出されて固定されることができる。
【００２２】
【発明の実施の形態】
以下、添付図面に基づいて本発明の好適な実施形態をより詳細に説明する。
図３には本発明による真空掃除機３００の電源コード固定装置４００を示す。図３に示すように、前記真空掃除機３００は、開口部３８０が形成された後壁３０５を有する真空掃除機３００の本体３１０、前記本体３１０に可撓性ホース３３０を通して連結され、底面に接触して埃及び異物を吸入するブラシ組立体３４０、前記本体３１０の内部に装着されて吸入力を発生する送風機組立体３５０、前記送風機組立体３５０に電源を供給するための延長可能な電源コード３６０、前記電源コード３６０を巻き取り、前記本体３１０の内部に装着されるリール３７０、前記電源コード３６０を引き出した状態で固定する電源コード固定装置４００で構成される。
【００２３】
図４に示すように、前記電源コード固定装置４００は、前記電源コード３６０と摩擦して前記電源コード３６０を固定するための四角形のプレート４１０、前記四角形のプレート４１０をヒンジ可能に支持するための固定リブ４２０、前記四角形のプレート４１０が前記電源コード３６０と接触するように前記四角形のプレート４１０を偏向させる弾性部材４３０及び前記弾性部材４３０が前記四角形のプレート４１０に対して偏向力を加えられるように前記弾性部材４３０を支持する支持リブ４４０で構成される。
【００２４】
図５及び図６は本発明による電源コードの固定装置を拡大して示す分解斜視図である。図５及び図６に示すように、前記四角形のプレート４１０は、前記電源コード３６０の開口部（図示せず）内に位置し、前記四角形のプレート４１０の下部は前記本体３１０の底面３０７に固定され、上部は前記開口部（図示せず）の上部を通過し、前記本体３１０の底面３０７に対して傾斜するように配置される。この際に、前記四角形のプレート４１０の上面と前記開口部の上面との間には空間が形成されて引出口４５０（図４に示す）を形成し、前記引出口を通して前記電源コード３６０が引き出し可能である。
【００２５】
前記四角形のプレート４１０の第一の側面４１５の底部４１８には第一のヒンジピン４１６が一体に突出形成され、前記第一の側面４１５に対向する前記四角形のプレート４１０の第二の側面４１７には第二のヒンジピン４１４が突出形成される。また、前記四角形のプレート４１０の上部４１９の一側面には半円形の凹部４１２が形成される。前記四角形のプレート４１０により固定された前記電源コード３６０を解除する場合に、前記半円形の凹部４１２を把持して前記四角形のプレート４１０を前方に回転させる。この際に、前記四角形のプレート４１０と前記開口部の上部との間の間隔が拡張される。従って、前記四角形のプレート４１０と前記電源コード３６０の接触が解除され前記電源コード３６０が引き出し可能になる。
【００２６】
前記固定リブ４２０は、前記本体３１０の底面３０７に形成され、上向きに突出される第一の固定リブ４２４及び前記第一の固定リブ４２４に対して所定の距離だけ離隔される第二の固定リブ４２２で構成される。前記第一及び第二の固定リブ４２４，４２２の端部には第一及び第二のピンホール４２８，４２６がそれぞれ形成される。前記第一及び第二のピンホール４２８，４２６には前記四角形のプレート４１０の第一及び第二のヒンジピン４１６，４１４がヒンジ可能に結合される。従って、前記四角形のプレート４１０は前記第一及び第二の固定リブ４２４，４２２の間にヒンジ可能に配置される。
【００２７】
前記支持リブ４４０は、前記固定リブ４２０から所定の距離だけ後方に離隔されるように、前記本体３１０の底面３０７で上向きに突出して形成される。前記支持リブ４４０の前面には前記弾性部材４３０を支持する第一の突起４４２が一体に突出形成される。
【００２８】
前記弾性部材４３０は、前記固定リブ４２０と前記支持リブ４４０との間に配置され、前記四角形のプレート４１０を偏向させる。前記弾性部材４３０は、第一端４３２が前記四角形のプレート４１０の後面４１１に形成される第二の突起４２１に固定され、前記第一端４３２に対向する第二端４３４は前記第一の突起４４２に固定される。
【００２９】
図７は本発明による電源コード固定装置の前面を示す正面図である。図７に示すように、前記本体３１０の後壁面３０５に形成された開口部３８０には前記四角形のプレート４１０が位置する。前記開口部３８０の上部３８２と前記四角形のプレート４１０の上部面４１３との間には前記電源コード３６０が引き出される引出口３８４が形成される。前記四角形のプレート４１０の一側面には前記四角形のプレート４１０を回転させる半円形の凹部４１２が形成される。
【００３０】
図８には本発明による前記電源コード固定装置の他の実施例を示す。図８に示すように、前記四角形のプレート４１０の前面にはノブ４２３が上向きに突出形成される。前記半円形の凹部４１２（図７に示す）の場合のように、前記四角形のプレート４１０により固定された前記電源コード３６０を解除する場合に、前記ノブ４２３を把持して前記四角形のプレート４１０を前方に回転させる。この際に、前記四角形のプレート４１０の上部面４１３と前記開口部３８０の上部３８２との間の間隔が拡張される。従って、前記四角形のプレート４１０と前記電源コード３６０との接触が解除されて前記電源コード３６０が引き出し可能になる。
【００３１】
図９には本発明による前記電源コード固定装置のさらに他の一実施例を示す。図９に示すように、前記開口部３８０の上部３８２はその中心部３８４から左右方向に下向きに傾斜する第一及び第二の傾斜面３８１，３８３を形成し、前記四角形のプレート４１０の上部面４１３は水平である。この際に、前記電源コード３６０は、前記開口部３８０の上部３８２と前記四角形のプレート４１０の上部面４１３との間に位置する。従って、前記電源コード３６０は常に前記開口部３８０の上部中心部３８４に位置する。
【００３２】
以下、本発明による前記電源コード固定装置４００の作用を説明する。図５に示すように、前記電源コード固定装置４００は前記電源コード３６０を固定及び解除する四角形のプレート４１０を有する。前記四角形のプレート４１０の底部４１８には偏向力を発生するスプリング４３０が装着される。そして、前記スプリング４３０は前記固定リブ４２０の後方に形成された支持リブ４４０に支持される。
前記スプリング４３０により前記四角形のプレート４１０は常に反時計方向に偏向力が作用する。従って、前記四角形のプレート４１０の上部４１９は前記開口部（図示せず）の上部に接触する。前記四角形のプレート４１０と前記開口部との間には前記電源コード３６０が位置する。従って、前記電源コード３６０は前記四角形のプレート４１０との摩擦により固定される。
【００３３】
一方、前記電源コード３６０を巻き取る場合に、使用者は先ず前記四角形のプレート４１０の上面に形成された半円形の凹部４１２を把持する。把持後に、半円形の凹部４１２が形成された前記四角形のプレート４１０を前方に回転する。従って、前記四角形のプレート４１０の上部面４１９と前記開口部の上面との間には空間が拡張され、前記電源コード３６０は巻き取り可能になる。この際に、前記四角形のプレート４１０の底部４１８に装着された前記スプリング４３０は前記固定リブ４２０方向に引張される。
【００３４】
さらに、前記電源コード３６０を引き出す場合に、使用者は前記電源コード３６０を把持して前記本体３１０の外部に引き出す。この際に、前記四角形のプレート４１０は前記電源コード３６０の表面と接触し、前記電源コード３６０との摩擦により、前記四角形のプレート４１０は時計方向に回転する。従って、前記電源コード３６０は前記本体３１０の外部に引き出される。
【００３５】
本発明を実施例によって詳細に説明したが、本発明は実施例によって限定されず、本発明が属する技術分野において通常の知識を有する者であれば本発明の思想と精神を離れることなく、本発明を修正または変更できるであろう。
【００３６】
【発明の効果】
以上で説明したように、本発明による電源コード固定装置は、電源コード固定装置の構造を単純化し、電源コードを引き出した状態で容易に固定及び解除することができる。
【図面の簡単な説明】
【図１】従来の真空掃除機の一般的な構造を示す斜視図である。
【図２】図１に示す真空掃除機の電源コード固定装置の構造を示す断面図である。
【図３】本発明による真空掃除機の一般的な構造を示す斜視図である。
【図４】真空掃除機の本発明による電源コード固定装置を示す断面図である。
【図５】真空掃除機の本発明による電源コード固定装置の組立構造を示す分解斜視図である。
【図６】図５に示す電源コード固定装置の四角形のプレートを拡大して示す拡大斜視図である。
【図７】真空掃除機の本発明による電源コード固定装置の前面を示す正面図である。
【図８】真空掃除機の本発明による電源コード固定装置の四角形のプレートにノブが形成されたことを示す正面図である。
【図９】真空掃除機の本発明による電源コード固定装置の他の実施例を示す正面図である。
【符号の説明】
３０７  底面
４００  電源コード固定装置
４１０  四角形のプレート
４１２  凹部
４１５，４１７  第一及び第二の側面
４１６，４１４  第一及び第二のヒンジピン
４２０  固定リブ
４３０  弾性部材
４４０  支持リブ
４４２，４２１  第一及び第二の突起
【図１】
0003771702.tif 000002
【図２】
0003771702.tif 000003
【図３】
0003771702.tif 000004
【図４】
0003771702.tif 000005
【図５】
0003771702.tif 000006
【図６】
0003771702.tif 000007
【図７】
0003771702.tif 000008
【図８】
0003771702.tif 000009
【図９】
0003771702.tif 000010